(57)【要約】【課題】繰出しロールの周面への接触精度・状態を高めて、特に、微粒子物である薬剤の漏れ防止を確立させた薬剤散布に有効な散布装置を提供すること、また、散布部からのホッパ部の分離脱着がワンタッチ操作で行うことができるように改善された散布装置を提供する。【解決手段】繰出しロール１ａを有する散布部１の上にホッパ部２を取り付けて構成されている散布装置Ａであって、ホッパ部２に設けられている落下口１８と繰出しロール１の繰出し凹部５とを連通部材１７を介して連通させ、連通部材１７は、繰出しロール１ａに相当する大きさを有する略ブロック状を成して落下口１８と繰出し凹部５とを連通する連通口２０を備え、かつ、繰出しロール１ａの回転周面に沿わせた広範囲にて面接触させるロール密接円弧部２１を備えていることである。【選択図】図３
2011125231.tif 000002
【特許請求の範囲】
【請求項１】
繰出しロールを有する散布部と、この散布部の上に取り付けられて散布物が収容されるホッパ部と、を備えて構成されている散布装置であって、
前記ホッパ部の底部に設けられている落下口と前記繰出しロールの周面に設けられている繰出し凹部とを連通部材を介して連通させてなり、
前記連通部材は、前記繰出しロールの筒方向の長さとその直径に相当する大きさを有する略ブロック状を成し、前記落下口と前記繰出し凹部を連通させる連通路を備え、かつ、前記繰出しロールの回転周面に沿わせた広範囲にて面接触させるロール密接円弧部を備えていることを特徴とする散布装置。
【請求項２】
前記ロール密接円弧部の円弧内面は、滑らかに表面加工処理が施されていることを特徴とする請求項１に記載の散布装置。
【請求項３】
前記連通部材が、弾性材からなることを特徴とする請求項１または請求項２に記載の散布装置。
【請求項４】
前記散布部は、前記ホッパ部の前記落下口と前記連通部材の前記連通口とを連絡する開口部を有する平面視で略四角形状のホッパ取付上面部を備え、前記ホッパ部は、前記ホッパ取付上面部と略同じ平面視形状にて該ホッパ取付上面部の上に載置される連結下面部を備えて、この連結下面部と前記ホッパ取付上面部との重なり合う一辺縁部側に、抜き挿しまたは引掛け自在に係止せせる係止手段を備えるとともに、対向する他辺縁部側には同他辺縁部を重合方向に掛脱自在に締付ける締付け手段を備えていることを特徴とする請求項１〜３のいずれか１項に記載の散布装置。
【請求項５】
前記係止手段は、重なり合う前記一辺縁部のうち、その一方側に横向きに備えられる雌側係止部と、他方側に横向きに備えられて前記雌側係止部に抜き挿し自在に係止される雄側係止部と、から構成され、
前記締付け手段は、重なり合う前記他辺縁部のうち、その一方側に備えられる引掛け部と、他方側に備えられて前記引掛け部に引掛ける環状の掛け部を有する締付け操作部と、から構成されていることを特徴とする請求項４に記載の散布装置。
【発明の詳細な説明】
【技術分野】
【０００１】
本発明は、トラクターなどの自走式作業機の後部に取り付けられて、肥料（粒状物）、石灰（粉粒物）、そして薬剤（微粒子物）などの散布物を田畑などの圃場に散布する散布装置に係り、特に、薬剤の散布に有効な散布装置に関する。
【背景技術】
【０００２】
トラクターなどの自走式作業機の後部に取り付けられて、肥料（粒状物）、薬剤（微粒子物）などの散布物を田畑などの圃場に散布する散布装置は、散布モータによって駆動回転する繰出しロール（分配ロール）を備えている散布部、この散布部の上に取り付けられて薬剤が収容されるホッパ部、散布部において繰出しロールの下方に位置して開口されている散布口（落下口）から土壌表面近くにわたり取り付けられる散布ホース（導管）を備えて構成されている（例えば、特許文献１〜特許文献３などを参照）。
そして、散布装置は、トラクターなどの自走式作業機の後部に三点リンク機構によって取り付けられ、出力軸（ＰＴＯ）からユニバーサルジョイントを介して回転動力が伝達される耕耘ロータリーの上などに搭載されることで、ホッパ部内の散布物が繰出しロールの回転によって定量繰出されながら、散布管を通して圃場の土俵などに定量散布されるようになっている。
【０００３】
ところで、繰出しロールが回転可能に内設されている散布部には、繰出しロールの円周上半部側と下半部側を仕切るように、植毛材などを束ねたブラシ部材が備えられている。このブラシ部材は、植毛材の先端を繰出しロールの周面に接触させた状態で、繰出しロールの断面（輪切り断面）の上半部両側に位置して配設されている。
これにより、ホッパ部の底部に開口されている落下口から繰出しロールの円周上半部側に吐出されてくる薬剤などの散布物が、円周下半部側に零れることなく、繰出しロールの周面に設けられている各繰出し凹部によって定量されつつ、繰出しロールの回転によって円周下半部側に繰出されて散布ホールを通して圃場の土俵などに定量散布されるようにしている。
【先行技術文献】
【特許文献】
【０００４】
【特許文献１】実公昭６１−１０７７６号公報
【特許文献２】特開２００６−２０５０７号公報
【特許文献３】特開２００６−１７４８１８号公報
【発明の概要】
【発明が解決しようとする課題】
【０００５】
しかしながら、散布物である薬剤の場合は、微粒子物であるが故に、植毛材などを束ねてなるブラシ部材では繰出しロールの円周下半部側（散布口および散布ホース側）への漏れを確実に防ぐことができないものであった。
つまり、散布ロールの周面に対するブラシ部材の接触は、束ねられた植毛材の先端総合の点接触または線接触であるために、散布ロールの周面との間や植毛材の間などに僅かな隙間が生じ易く、その僅かな隙間から薬剤が漏れ出し、無駄になることが多かった。
例えば、田畑への散布中に、田畑の縁などに差し掛かり、散布モータを止めて散布を一時中断させた状態でトラクターをＵターンさせる際などにおいて、ブラシ部材によって仕切られている散布ロールの上半部側に繰出されずに残っている薬剤が僅かな隙間から漏れ出し、田畑脇の土壌に落下してしまうなどの無駄になること多く、使用者からその改善が求められていた。
【０００６】
なお、このような薬剤漏れを防ぐための手法として、ブラシ部材に替えて、同ブラシ部材の厚さ（束ねられた植毛材の厚さ）に相当する厚みを有するなどの帯状のゴム部材を、前記したように、繰出しロールの断面（輪切り断面）の上半部両側に位置させて配設することが考えられる。このような形態とすることで、ブラシ部材に比べて、薬剤漏れを防ぐ抑止効果は高められるものの、繰出しロールの周面に対する接触は、ゴム部材の厚さであって、完全に防ぐことができない。
【０００７】
また、従来技術では、散布部に対するホッパ部の取り付けが、ボルトとナットによる固着によって行われているなどから、散布作業の終了後やシーズン終了後においてメンテナンスを行う際に、数ヶ所のボルト・ナットを取り外して散布部からホッパ部を分離しなければならないといった面倒で手間の掛かる分離脱着作業を必要とするなど、取扱い上においても改善が求められていた。
【０００８】
そこで、本発明は、前記課題を解消するために創案されたものであり、繰出しロールの周面への接触精度・状態を高めて、特に、微粒子物である薬剤の漏れ防止を確立させた薬剤散布に有効な散布装置を提供すること、また、散布部からのホッパ部の分離脱着がワンタッチ操作で行うことができるように改善された散布装置を提供することにある。
【課題を解決するための手段】
【０００９】
前記課題を解決するために、本発明では、繰出しロールを有する散布部と、この散布部の上に取り付けられて散布物が収容されるホッパ部と、を備えて構成されている散布装置であって、
前記ホッパ部の底部に設けられている落下口と前記繰出しロールの周面に設けられている繰出し凹部とを連通部材を介して連通させてなり、前記連通部材は、前記繰出しロールの筒方向の長さとその直径に相当する大きさを有する略ブロック状を成し、前記落下口と前記繰出しロールの前記繰出し凹部とを連通する連通口を備え、かつ、前記繰出しロールの回転周面に沿わせた広範囲にて面接触させるロール密接円弧部を備えていることを特徴とする。
ここで、前記ロール密接円弧部の円弧内面は、前記繰出しロールの周面に面接触させた状態で繰出しロールの回転を妨げない滑りが得られるように、滑らかに表面加工処理が施されていることが好適である。
また、前記連通部材が弾性材からなることが好適で、好ましくは弾性ゴム、特に好ましくは天然ゴムからなることが好適である。
【００１０】
このような構成によれば、繰出しロールの回転周面に沿わせた面接触にて宛がわれる。例えば、繰出しロールの断面（輪切り断面）の上半部側周面に包囲するように面接触にて宛がわれるロール密接円弧部を有する連通部材を介してホッパ部の落下口と繰出しロールの繰出し凹部とを連通させたことで、ホップ部内の散布物、特に、微粒子物の薬剤を繰出し凹部にて定量しつつ、繰出しロールに回転による定量散布を確実に維持しながら、繰出しロールの周面との間に生じる僅かな隙間の発生を抑えることができる。
また、繰出しロールの周面に面接触にて宛がわれる連通部材のロール密接円弧部は滑らかに表面加工処理が施されていることで、繰出しロールとの摩擦抵抗を抑えて、該繰出しロールの回転を円滑に保つことができる。つまり、繰出しロールの周面との間に薬剤が漏れる僅かな隙間の発生を抑えながら、繰出しロールの回転を円滑に保つ。
また、連通部材が、弾性材からなることで、ロール密接円弧部を繰出しロールの周面に弾性的に面接触させることができる。そして、弾性材として天然ゴムを選択することで、繰出しロールとの接触による静電気の発生を抑えることができる。
【００１１】
また、前記散布部は、前記ホッパ部の前記落下口と前記連通部材の前記連通口とを連絡する開口部を有する平面視で略四角形状のホッパ取付上面部を備え、前記ホッパ部は、前記ホッパ取付上面部と略同じ平面視形状にて該ホッパ取付上面部の上に載置される連結下面部を備えて、この連結下面部と前記ホッパ取付上面部との重なり合う一辺縁部側に、抜き挿しまたは引掛け自在に係止させる係止手段を備えるとともに、対向する他辺縁部側には同他辺縁部を重合方向に掛脱自在に締付ける締付け手段を備えていることを特徴とする。
ここで、前記係止手段は、重なり合う前記一辺縁部のうち、その一方側に横向きに備えられる雌側係止部と、他方側に横向きに備えられて前記雌側係止部に抜き挿し自在に係止される雄側係止部とから構成され、前記締付け手段は、重なり合う前記他辺縁部のうち、その一方側に備えられる引掛け部と、他方側に備えられて前記引掛け部に引掛ける環状の掛け部を有する締付け操作部とから構成されていることが好適なものとなる。
【００１２】
このような構成によれば、散布部の上にホッパ部を取り付けるとき、ホッパ取付上面部に連結下面部を重ね合わせ、一辺縁部側の横向きの雌側係止部に対して、同じく横向きの雄側係止部を嵌め合せ係止させることで、ホッパ部が浮き上らないように重なり合うホッパ取付上面部と連結下面部との一辺縁部側を連結させることができる。そして、ホッパ取付上面部と連結下面部との他辺縁部側の一方側に備えられている引掛け部に対して、他方側に備えられている締付け操作部の掛け部を引掛けて締付け操作部を締め付けることで、ホッパ部が浮き上らないように重なり合うホッパ取付上面部と連結下面部との他辺縁部側を連結させることができる。
つまり、ホッパ取付上面部と連結下面部にそれぞれ備えられている雄雌係止部の雌側係止部に対する係脱可能な嵌め合わせ連結と、引掛け部に対する締付け操作部の掛け部の締付け掛脱可能な連結によって散布部の上にホッパ部を分離掛脱自在に取り付け載置することができる。
【発明の効果】
【００１３】
本発明によれば、連通部材に設けた連通路によってホッパ部の落下口と繰出しロールの繰出し凹部を連通させ、かつ、ロール密接円弧部を繰出しロールの回転周面に沿わせた広範囲にて面接触させた構造を採用している。つまり、回転ロールの円周上半部側において、定量散布速度にて回転する繰出しロールの回転によって落下口の真下に順次位置する繰出し凹部のみが落下口と連通状態となり、他の繰出し凹部を含めた周面はロール密接円弧部による広範囲の面接触状態と成し得ることで、繰出しロールの周面との間に僅かな隙間も発生しない高い接触精度・状態を保つことができる。
これにより、微粒子物の薬剤の漏れを確実に防ぐことができる。
【００１４】
また、流通部材が弾性材であることで、ロール密接円弧部の繰出しロールの周面に対する面接触状態を弾性的に接触させることができる。これにより、微粒子物の薬剤が漏れないように、繰出しロールの周面との接触状態を長期にわたり継続的に保つことができる。
また、弾性材として、例えば、天然ゴムを選択することで、繰出しロールとの接触による静電気の発生を防ぐ静電気抑止効果が得られ、静電気の発生によって生じる繰出し凹部の凹み内面への薬剤の付着、ひいては、薬剤の繰出し凹部への堆積によって繰出し凹部の体積が減少して定量散布に支障を来たすなどの問題を防ぐことができる。これにより、繰出し凹部による定量散布を長期にわたり継続的に保つことができる。つまり、散布場所によって散布量が少ない、散布量が多すぎるなどの散布のバラツキをなくし、均一に散布することができる信頼性の高い散布装置を提供することができる。
【００１５】
また、本発明によれば、散布部の上にホッパ部を取り付けるとき、ホッパ取付上面部と連結下面部にそれぞれ備えられている雄雌係止部の雌側係止部に対する係脱可能な嵌め合わせ連結と、引掛け部に対する締付け操作部の掛け部の締付け掛脱可能な連結によって散布部の上にホッパ部を分離脱着可能に取り付け載置することができる。
これにより、散布作業の終了後やシーズン終了後などにおけるメンテナンスの際に行う散布部のホッパ部からの脱着作業を簡易に、ワンタッチ操作で行うことができる。よって、従来技術のボルトとナットによる固着に比べて、分離脱着などに対する取扱い性の向上が図られる。
【図面の簡単な説明】
【００１６】
【図１】本実施例に係る散布装置を既設散布装置とともにトラクター後部の耕耘ロータリー上に搭載させた状態を示す側面図である。
【図２】同散布装置を拡大して示す正面図である。
【図３】同散布装置の要部を拡大して示す縦断正面図である。
【図４】同縦断側面図で、（ａ）は、シャッターが開の状態を示し、（ｂ）は、シャッターが閉の状態を示す。
【図５】連通部材の一例を、繰出しロールとともに示す斜視図である。
【図６】ホッパ部を散布部から取り外し分離させた状態を示す要部の縦断側面図である。
【発明を実施するための形態】
【００１７】
以下、本発明の実施形態について、適宜図面を参照しながら詳細に説明する。
【００１８】
図１は、本実施例に係る散布装置を既設散布装置とともにトラクター後部の耕耘ロータリー上に搭載させた状態を示す側面図であり、図２は、同散布装置を拡大して示す正面図であり、図３は、同散布装置の要部を示す拡大縦断正面図であり、図４は、同拡大縦断側面図である。
本実施形態に係る散布装置Ａは、図１に示すように、既設散布装置（肥料や種子などを散布する既設の装置）Ｂとともに、該既設散布装置Ｂの装置機枠ｂを利用してトラクターＣの後部に三点リンク機構Ｅによって取り付けられる耕耘ロータリーＤの上部などに搭載されて、既設散布装置Ｂから肥料、種子や石灰などが畑の畝（土俵）に散布されるとき、その散布周辺の局所位置に薬剤を散布するものである。
【００１９】
≪散布装置の構成≫
散布措置Ａは、図１〜図３に示すように、繰出しロール（分配ロール）１ａを有する散布部１と、この散布部１の上に取り付けられて薬剤が収容されるホッパ部２と、繰出しロール１ａの下方に位置して開口されている数ヶ所の散布口４から畝の土壌表面近くにわたり取り付けられる数本の散布管（導出管）３を備えて構成されている。
【００２０】
≪散布部の構成≫
散布部１は、図３および図４に示すように、分配漏斗１ｂ、この分配漏斗１ｂ内に内設される繰出しロール１ａ、この繰出しロール１ａを駆動回転させる散布モータ１ｃを備えている。
繰出しロール１ａは、合成樹脂材料などから形成されて、図３および図４、そして後記の図５に示すように、周面に複数の繰出し凹部５を備えている。この繰出し凹部５は、繰出しロール１ａの筒方向に３列、周方向に８列それぞれ独立した等間隔おいて適宜の深さを有する略半円状に形成されている。
そして、この繰出しロール１ａは、両端軸芯に角型軸部６を備えて、図２および図３に示すように、後記する支持部材７の両側支持辺部７ｂの間にわたり回転可能に軸止されるとともに、その一端の角型軸部６が一側支持辺部７ｂの外側に同軸上に取り付けられる散布モータ１ｃに接続されるようになっている。
【００２１】
分配漏斗１ｂは、合成樹脂材料などによって、繰出しロール１ａを緩嵌状（遊嵌状）に横架内設し得る大きさを有する上面開口の平面視で略横長矩形状に形成されており、底部数ヶ所には下向き並列で筒状に開口させた散布口４を備えている。この散布口４にはフレキシブルな散布パイプ（可撓パイプ）３の一端側が接続される。
また、分配漏斗１ｂは、図３および図４に示すように、両側壁面に繰出しロール１ａの両端に備えられている角型軸部６を外部に突出させる切欠き部８を備えているとともに、支持部材７に図示省略のピンやネジなどの止め具を用いて吊持状に取り付けられるように形成されている。
【００２２】
支持部材７は、分配漏斗１ｂを吊持状に支持するとともに、ホッパ部２を取り付け載置させるホッパ取付上面部９を散布部１に形成するためのものである。
この支持部材７は、分配漏斗１ｂの上面開口部の開口面積よりも一回りほど大きめの平面視で略横長矩形形状を呈する上面辺部７ａと、この上面辺部７ａの対向する短辺両縁から下向きに折り曲げ延設させた支持辺部７ｂとから正面視で略下向きコの字形状に形成されている（図３参照）。上面辺部７ａが散布部１のホッパ取付上面部９を形成し、このホッパ取付上面部９の上にホッパ部２が取り付け載置されるようになっている。
【００２３】
また、支持部材７の両側支持辺部７ｂには、図２および図３に示すように、下向き開口の取付部材（型材）１０が備えられている。この両側の取付部材１０は、図１に示すように、装置機枠ｂの角パイプ材ｂ１に取り付けられている支持枠材１１に嵌め合せ載置された状態で、該支持枠材１１の内側に備えられているナット１２に蝶ネジ１３をねじ込むことで（図２参照）、支持枠材１１を介して散布部１（散布装置Ａ）を装置機枠ｂ上に着脱可能に固着搭載し得るようにしている。
【００２４】
また、支持部材７の両側支持辺部７ｂには、図３および図４に示すように、後記する締付け手段１４の締付け操作部１４ａ側が備えられている。
さらに、支持部材７の上辺面部７ａ（散布部１のホッパ取付上辺部９）の長辺両側縁には下向きに折り曲げた下向き縁辺部１６がそれぞれ備えられていて、その一側の下向き縁辺部１６に後記する係止手段１５の雌側係止部１５ａが備えられるようになっている。
【００２５】
そして、本実施形態では、このように構成されている散布部１の繰出しロール１ａの断面上半部側の周面に広範囲にて面接触させる連通部材１７を備えている。つまり、図３および図４に示すように、ホッパ部２の底部に設けられる各落下口１８と繰出しロール１ａの筒方向の各繰出し凹部５とを支持部材７の開口部１９を介して連通させるための連通口２０を有する連通部材１７を繰出しロール１ａの断面上半部側に位置させて備えている。
【００２６】
≪連通部材の構成≫
図５は、連通部材の一例を、繰出しロールとともに示す斜視図である。ここでは、図３および図４を適宜参照しながら説明する。
連通部材１７の材質は、特に限定されるものではないが、弾性ゴムなどの所望な弾性材が好ましく、特に、繰出しロール１ａとの接触による静電気の発生を抑える静電気抑止効果が得られる天然ゴム（ＮＲ７０）が好ましい。本実施形態では、天然ゴム材を用いて、図５に示すように、繰出しロール１ａの筒方向の長さとその直径に相当する程度の大きさを有する平面視で略矩形形状のブロック状に形成している。
そして、連通部材１７には、図３および図４に示すように、ホッパ部２の落下口１８と繰出しロール１ａの繰出し凹部５とを連通する連通口２０を備え、かつ、繰出しロール１ａの回転周面に沿わせた広範囲にて該周面に面接触させるロール密接円弧部２１を備えている。
【００２７】
連通口２０は、連通部材１７の長手方向に横一列の等間隔をおいて３ヶ所に開口されている。これにより、図３に示すように、同じくホッパ部２の底部に横一列の等間隔をおいて開口される３ヶ所の落下口１８と、繰出しロール１ａの筒方向に等間隔をおいて設けられる３ヶ所の繰出し凹部５とを個々に連通させるようにしている。
【００２８】
ロール密接円弧部２１は、繰出しロール１ａの周面に対する広範囲の接触によって、ホッパ部２の各落下口１８から繰出しロール１ａの各繰出し凹部５へと繰出しロール１ａの回転に伴い収容される薬剤が、散布口４を有する分配漏斗１ｂの底部側に漏れないように防ぐ役目を成すものである。
このロール密接円弧部２１は、図４に示すように、繰出しロール１ａの断面上半部側の周面に沿って該上半部側周面を包み込むように広範囲にて接触させる半円形状に形成されている。つまり、繰出しロール１ａの断面上半部側の断面形状と同一形状にてロール密接円弧部２１は連通部材１７に形成されている。
これにより、繰出しロール１ａの周面との間に隙間がない状態（薬剤が漏れるおそれがある僅かな隙間の発生をも抑えた状態）の面接触にて当該周面に接触させるようにしている。
【００２９】
また、ロール密接円弧部２１の円弧内面は、適宜の加工手法によって滑らかに表面加工処理が施されている。これにより、繰出しロール１ａとの摩擦抵抗を抑えて、繰出しロール１ａの回転を円滑に保つようにしている。つまり、ロール密接円弧部２１の広範囲における面接触状態において、接触による摩擦抵抗を受けることなく、繰出しロール１ａが散布モータ１ｃの動力によって円滑に回転するようにしている。
【００３０】
なお、図示を省略しているが、支持部材７の上面辺部７ａの裏側には、ロール密接円弧部２１の繰出すロール１ａに対する接触状態（接触力）を調整するための調整部材がボルト止めなどによって上下動可能に備えられている。調整部材は、繰出しロール１ａの筒方向の長さに相当する長さ（幅）に形成されて、ボルトなどによる４点支持によって上面辺部７ａの裏面に備えられている。
【００３１】
≪ホッパ部の構成≫
ホッパ部２は、下半部側が底部に至るにしたがって略漏斗状に形成されており、その底部には落下口１８を備えている。
落下口１８は、散布ロール１ａの各繰出し凹部５の筒方向における配置間隔にて等間隔の横一列に開口されて、連通部材１７の連通口２０を通して各繰出し凹部５に薬剤が個々に落下収容されるようにしている。
【００３２】
そして、落下口１８が開口されているホッパ部２の底部下面には、各落下口１８を個々に開閉するためのシャッター２２が備えられているとともに、散布部１のホッパ取付上面部９に重ね合わせ載置される平坦な連結下面部２３をホッパ部２に備えるための下面部材２４が取り付けられている。
【００３３】
シャッター２２は、摘み部２２ａを折り曲げ立ち上げた帯状板によって形成されて、下面部材２４によって下から挟み込まれた状態でホッパ部１の底部下面に、各落下口１８を個々に開閉するようにスライド自在にそれぞれ配されている。
これにより、３ヶ所全て落下口１８を開けて３ヶ所で散布、或いは１ヶ所の落下口１８を閉じて２ヶ所で散布、２ヶ所の落下口１８を閉じて１ヶ所のみで散布するなどの田畑への散布状況に合わせた散布作業を可能にしている。
【００３４】
下面部材２４は、散布部１のホッパ取付上面部９と略同じ平面視形状に形成されている。そして、下面部材２４の短辺両側縁側には、図３および図４に示すように、上向きに折り曲げられた上向き縁辺部２５が備えられていて、この両側の上向き縁辺部２５に締付け手段１４の掛け部１４ｂ側が備えられているようになっている。
また、下面部材２４の長辺一側縁部側には、下向きに折り曲げられた下向き縁辺部２６が備えられていて、この下向き縁辺部２６に係止手段１５の雄側係止部１５ｂ側が備えられるようになっている。
【００３５】
≪締付け手段及び係止手段の構成≫
図６は、ホッパ部を散布部から取り外し分離させた状態を示す要部の縦断側面図である。
締付け手段１４および係止手段１５は、散布部１のホッパ取付上面部９の上にホッパ部２の連結下面部２３を重ね合わせ載置させた状態で、この連結下面部２３をホッパ取付上面部９に分離掛脱自在に取り付けるためのものである。
【００３６】
締付け手段１４は、図２および図３に示すように、支持部材７の両側支持辺部７ｂの上部側に位置して配設される環状の掛け部２７を有する締付け操作部１４ａと、下面部材２４（ホッパ部２の連結下面部２３）の両側上向き縁辺部２５に配設される引掛け部１４ｂとを備えて構成されている。
【００３７】
そして、係止手段１５は、図３および図４に示すように、支持部材７の下向き縁部１６に横向きに配設される雌側係止部１５ａと、下面部材２４（ホッパ部２の連結下面部２３）の下向き縁辺部２６に横向き（内向き突出状）に配設される雄側係止部１５ｂとを備えて構成されている。
【００３８】
このように構成されている締付け手段１４および係止手段１５によれば、ホッパ取付上面部９と連結下面部２３との長辺一側縁部側を、雌側係止部１５ａに対する雄側係止部１５ｂの嵌め合せ係止によって掛脱自在に連結することができ、そして、長辺他側縁部側を、引掛け部１４ｂに対する締付け操作部１４ａの掛け部２７の引掛けと締め付けによって掛脱自在に連結することができる。
【００３９】
また、本実施形態では、図３および図４に示すように、散布部１のホッパ取付上面部９の要所にウレタン材などからなる介在部材２８を備えている。
これにより、ホッパ部２の連結下面部２３を散布部１のホッパ取付上面部９に係止手段１５と締付け手段１４によって連結することで、連結下面部２３とホッパ取付上面部９との間の要所部分が介在部材２８によって密閉状にシールされて微粒子物の薬剤が漏れないようにしている。
【００４０】
また、本実施形態では、図示を省略しているが、板金加工などによって形成されるホッパ部２の板材の繋ぎ目などにコーキング材を用いた目地処理を施して、微粒子物の薬剤の漏れを防ぐようにしている。
【００４１】
なお、本発明の実施形態の具体的な構成は、前記した実施形態に限られるものではなく、請求項１から請求項５に記載の本発明の要旨を逸脱しない範囲で設計変更などがあっても本発明に含まれるものである。
例えば、連通部材１７を、天然ゴムなどの弾性材に限らず、合成樹脂材などの適宜の材料を用いて形成することができる。
【００４２】
また、散布部１のホッパ取付上面部９の上に、ホッパ部２の連結下面部２３を重ね合わせ載置させて連結する係止手段１５として、引掛け自在に係止させる係止爪片部と係止凹部との関係によって構成することができる。
【符号の説明】
【００４３】
Ａ      散布装置
１      散布部
１ａ    繰出しロール
１ｂ    分配漏斗
１ｃ    散布モータ
２      ホッパ部
３      散布管
４      散布口
５      繰出し凹部
９      ホッパ取付上面部
１４    締付け手段
１４ａ  締付け操作部
１４ｂ  引掛け部
１５    係止手段
１５ａ  雌側係止部
１５ｂ  雄側係止部
１７    連通部材
１８    落下口（ホッパ部の）
１９    開口部（ホッパ取付上面部の）
２０    連通口
２１    ロール密接円弧部
２３    連結下面部
【図１】
2011125231.tif 000003
【図２】
2011125231.tif 000004
【図３】
2011125231.tif 000005
【図４】
2011125231.tif 000006
【図５】
2011125231.tif 000007
【図６】
2011125231.tif 000008